(57)【要約】【課題】五徳上への調理容器の載置および非載置を精度よく検出することができる調理容器検知機構を備えた、加熱調理器用の温度検出装置を提供する。【解決手段】内側を伝達部材７５が通過する筒状部１１を有し、該筒状部の所定の位置にリードスイッチ６５と磁石６６とが一体に保持されるように構成された保持部１０が、筒状部の内周面１２と、他方辺部５１ｂの外周面５２とが当接する態様で他方辺部に接続されているとともに、筒状部の内周面が当接する他方辺部の外周面には、他方辺部の直径方向の中心側に引退した引退平坦部２１が配設され、他方辺部の外周面が当接する筒状部の内周面には、筒状部の直径方向の中心側に隆起した隆起平坦部２２が配設され、他方辺部の引退平坦部と、筒状部の隆起平坦部とが当接することにより、保持部および保持部に一体に保持されたリードスイッチと磁石が、他方辺部の軸心方向回りに回動することが阻止される構成とする。【選択図】図５
2020003107.tif 000002
【特許請求の範囲】
【請求項１】
加熱調理器に固定的に配設された筒状支持体であって、略垂直方向に延びる一方辺部と、前記一方辺部から続いて延びる他方辺部とを備えた筒状支持体と、
前記加熱調理器の載置部に載置される被加熱物の底部が当接し、前記被加熱物の上下動に伴って昇降し、かつ、上方に向かって復帰付勢された状態で、前記筒状支持体の前記一方辺部の上端部に支持された昇降体と、
前記被加熱物の底部の温度を検出するための検出部と、前記検出部から導出され、前記筒状支持体内を経て前記他方辺部から外に延びるように配設された、前記検出部の検出情報を制御部に伝えるリード線とを備えた温度検出機構と、
前記筒状支持体の前記他方辺部の外周部に設けられ、磁界の印加により第１状態と第２状態とに切り換えられるリードスイッチと、前記他方辺部を介して前記リードスイッチと対向するように前記他方辺部の外周部に配設された磁石と、前記筒状支持体の前記他方辺部の内部に設けられ、前記リードスイッチに対して近接、離間することにより前記リードスイッチを前記第１状態と前記第２状態とに切り換える操作部とを備えた被加熱物検知機構と、
一端が前記昇降体に接続され、他端が前記他方辺部内に延びる態様で前記筒状支持体内に配設され、前記昇降体の昇降に伴って、前記筒状支持体の軸方向に沿って前記筒状支持体内を移動する伝達部材と、
を備え、
前記リードスイッチと前記磁石との間に位置することによって、前記リードスイッチに印加される前記磁石の磁界を遮蔽する磁気遮蔽体が、前記操作部として、前記伝達部材の所定の位置に配設され、
内側を前記伝達部材が通過する筒状部を有し、前記筒状部の所定の位置に前記リードスイッチと前記磁石とが一体に保持されるように構成された保持部が、前記筒状部の内周面と、前記他方辺部の外周面とが当接する態様で前記他方辺部に接続されているとともに、
前記筒状部の内周面が当接する前記他方辺部の外周面には、前記他方辺部の直径方向の中心側に引退した引退平坦部が配設され、
前記他方辺部の外周面が当接する前記筒状部の内周面には、前記筒状部の直径方向の中心側に隆起した隆起平坦部が配設され、
前記他方辺部の前記引退平坦部と、前記筒状部の前記隆起平坦部とが当接することにより、前記保持部および前記保持部に一体に保持された前記リードスイッチと前記磁石が、前記他方辺部の軸心方向回りに回動することが阻止されるように構成されていること
を特徴とする加熱調理器用の温度検出装置。
【請求項２】
前記保持部は、前記リードスイッチを収容するリードスイッチ容器を一体に備えており、
前記リードスイッチ容器には、前記筒状支持体における前記他方辺部の外周部に沿う形態の取り付け面が形成されていることを特徴とする請求項１記載の加熱調理器用の温度検出装置。
【発明の詳細な説明】
【技術分野】
【０００１】
本発明は、温度検出装置に関し、詳しくは、ガスコンロなどの加熱調理器に載置された被加熱物（例えば鍋などの調理容器）の温度を検出するために用いられる、加熱調理器用の温度検出装置に関する。
【背景技術】
【０００２】
例えばガスコンロには、被加熱物（例えば鍋などの調理容器）の底面に接してその温度を検知する温度検出装置を備えたガスコンロがある。
【０００３】
そして、そのような温度検出装置の中には、加熱調理器が備える五徳上に調理容器が載置されたこと、および、五徳上から調理容器が取り除かれたことを検出する調理容器検知装置を備えたものがある。
【０００４】
特許文献１には、加熱調理器用の温度検出装置が備える調理容器検知装置として、被加熱物（調理容器）の温度を検出する温度検出部の昇降に伴い上下動するロッドとともに移動する磁性体の移動経路を挟む位置に、永久磁石とリードスイッチを設けた調理容器検知装置が記載されている。
【０００５】
この調理容器検知装置においては、磁性体が永久磁石とリードスイッチとの間に位置するときと、磁性体が永久磁石とリードスイッチとの間に位置しないときとで、リードスイッチの開閉状態が切り換わることにより、五徳上への調理容器の載置および非載置が検出されるように構成されている。
【０００６】
すなわち、特許文献１の調理容器検知装置においては、五徳上に調理容器が載置される際に調理容器の底部によって押し下げられ、調理容器が取り除かれる際に付勢手段の付勢力によって上昇するロッドの動きに伴って移動する磁性体が支持パイプ（筒状支持体）の内側に配設されており、磁性体の移動経路を挟む形態で、支持パイプ（筒状支持体）を挟んでリードスイッチと磁石とが配設されている。
【０００７】
そして、リードスイッチと磁石との間に磁性体が存在しないときには、磁石の磁力がリードスイッチに達し、リードスイッチと磁石との間に磁性体が存在するときには、磁石の磁力が磁性体によって遮られてリードスイッチに達しなくなることで、五徳上への調理容器の載置、非載置に応じてリードスイッチのＯＮ−ＯＦＦが切り替わるように構成されている。
【先行技術文献】
【特許文献】
【０００８】
【特許文献１】特開２０１４−１５２９３９号公報
【発明の概要】
【発明が解決しようとする課題】
【０００９】
ところで、特許文献１には特に記載されていないものの、仮に、調理容器検知装置の周辺に磁性体が存在している場合において、リードスイッチと磁石とが支持パイプ（筒状支持体）の軸心周りに回動して、周辺に存在する磁性体と磁石の間の距離あるいは周辺に存在する磁性体とリードスイッチの間の距離が変化すると、磁石からリードスイッチに至る磁力線の分布経路が変化することになり、五徳上への調理容器の載置、非載置の検出に係る感度に変化が生じ、五徳上への調理容器の載置、非載置の検出を適正に行うことができなくなるという不都合が生じるおそれがある。
【００１０】
本発明は、上記課題を解決するものであり、リードスイッチと磁石とが、筒状支持体の軸心周りに回動することを抑制することが可能で、五徳上への調理容器の載置および非載置を精度よく検出することができる調理容器検知機構を備えた、加熱調理器用の温度検出装置を提供することを目的とする。
【課題を解決するための手段】
【００１１】
上記課題を解決するために、本発明の加熱調理器用の温度検出装置は、
加熱調理器に固定的に配設された筒状支持体であって、略垂直方向に延びる一方辺部と、前記一方辺部から続いて延びる他方辺部とを備えた筒状支持体と、
前記加熱調理器の載置部に載置される被加熱物の底部が当接し、前記被加熱物の上下動に伴って昇降し、かつ、上方に向かって復帰付勢された状態で、前記筒状支持体の前記一方辺部の上端部に支持された昇降体と、
前記被加熱物の底部の温度を検出するための検出部と、前記検出部から導出され、前記筒状支持体内を経て前記他方辺部から外に延びるように配設された、前記検出部の検出情報を制御部に伝えるリード線とを備えた温度検出機構と、
前記筒状支持体の前記他方辺部の外周部に設けられ、磁界の印加により第１状態と第２状態とに切り換えられるリードスイッチと、前記他方辺部を介して前記リードスイッチと対向するように前記他方辺部の外周部に配設された磁石と、前記筒状支持体の前記他方辺部の内部に設けられ、前記リードスイッチに対して近接、離間することにより前記リードスイッチを前記第１状態と前記第２状態とに切り換える操作部とを備えた被加熱物検知機構と、
一端が前記昇降体に接続され、他端が前記他方辺部内に延びる態様で前記筒状支持体内に配設され、前記昇降体の昇降に伴って、前記筒状支持体の軸方向に沿って前記筒状支持体内を移動する伝達部材と、
を備え、
前記リードスイッチと前記磁石との間に位置することによって、前記リードスイッチに印加される前記磁石の磁界を遮蔽する磁気遮蔽体が、前記操作部として、前記伝達部材の所定の位置に配設され、
内側を前記伝達部材が通過する筒状部を有し、前記筒状部の所定の位置に前記リードスイッチと前記磁石とが一体に保持されるように構成された保持部が、前記筒状部の内周面と、前記他方辺部の外周面とが当接する（外嵌する）態様で前記他方辺部に接続されているとともに、
前記筒状部の内周面が当接する前記他方辺部の外周面には、前記他方辺部の直径方向の中心側に引退した引退平坦部が配設され、
前記他方辺部の外周面が当接する前記筒状部の内周面には、前記筒状部の直径方向の中心側に隆起した隆起平坦部が配設され、
前記他方辺部の前記引退平坦部と、前記筒状部の前記隆起平坦部とが当接することにより、前記保持部および前記保持部に一体に保持された前記リードスイッチと前記磁石が、前記他方辺部の軸心方向回りに回動することが阻止されるように構成されていること
を特徴としている。
【００１２】
本発明の加熱調理器用の温度検出装置において、前記保持部は、前記リードスイッチを収容するリードスイッチ容器を一体に備えており、前記リードスイッチ容器には、前記筒状支持体における前記他方辺部の外周部に沿う形態の取り付け面が形成されていることが好ましい。
【発明の効果】
【００１３】
本発明の加熱調理器用の温度検出装置は、上述のように構成されており、リードスイッチと磁石との間に位置することによって、リードスイッチに印加される磁石の磁界を遮蔽する磁気遮蔽体が操作部として、伝達部材の所定の位置に配設され、内側を伝達部材が通過する筒状部を有し、該筒状部の所定の位置にリードスイッチと磁石とが一体に保持されるように構成された保持部が、筒状部の内周面と、他方辺部の外周面とが当接する態様で他方辺部に接続されているとともに、筒状部の内周面が当接する他方辺部の外周面には、他方辺部の直径方向の中心側に引退した引退平坦部が配設され、他方辺部の外周面が当接する筒状部の内周面には、筒状部の直径方向の中心側に隆起した隆起平坦部が配設され、他方辺部の引退平坦部と、筒状部の隆起平坦部とが当接（係合）することにより、保持部および保持部に一体に保持されたリードスイッチと磁石が、他方辺部の軸心方向回りに回動することが阻止されるように構成されているので、五徳上への調理容器の載置および非載置を精度よく検出することが可能な、加熱調理器用の温度検出装置を実現することができる。
【００１４】
また、本発明の加熱調理器用の温度検出装置において、保持部が、リードスイッチを収容するリードスイッチ容器を一体に備えており、リードスイッチ容器には、筒状支持体における他方辺部の外周部に沿う形態の取り付け面が形成されている構成とした場合、リードスイッチ容器内に収容されるリードスイッチと筒状支持体における他方辺部との位置関係が安定し、ひいては、リードスイッチ、磁石、および操作部である磁気遮蔽体の位置関係が安定することになるため、五徳上への調理容器の載置および非載置の検出をより一層適切に行うことが可能になる。
【図面の簡単な説明】
【００１５】
【図１】本発明の一実施形態にかかる加熱調理器用の温度検出装置を備えるガスコンロの外観構成を示す斜視図である。
【図２】（ａ）は本発明の一実施形態にかかる加熱調理器用の温度検出装置を示す斜視図、（ｂ）は要部を他の角度から見た斜視図である。
【図３】本発明の一実施形態にかかる加熱調理器用の温度検出装置を示す側面図である。
【図４】本発明の一実施形態にかかる加熱調理器用の温度検出装置を示す図であって、（ａ）は五徳に調理容器が載置されていないときの、図３におけるＩＶ−ＩＶ線断面図、（ｂ）は五徳に調理容器が載置されているときの、図３におけるＩＶ−ＩＶ線断面図である。
【図５】本発明の一実施形態にかかる加熱調理器用の温度検出装置の組み立て途中における斜視図である。
【図６】本発明の一実施形態にかかる加熱調理器用の温度検出装置の組み立て途中における要部の斜視図である。
【図７】本発明の一実施形態にかかる加熱調理器用の温度検出装置において、筒状部の隆起平坦部と、他方辺部の引退平坦部とが当接して、筒状部が他方辺部の軸心方向回りに回動することが阻止されている状態を示す図である。
【発明を実施するための形態】
【００１６】
以下、本発明の実施形態にかかる加熱調理器用の温度検出装置を備えたガスコンロ（グリル付きコンロ）を示して、本発明の特徴とするところを詳しく説明する。
【００１７】
まず、本発明の実施形態にかかる加熱調理器用の温度検出装置を備えたガスコンロ（グリル付きコンロ（加熱調理器））１００の基本構成について説明した後、特徴的構成について説明する。
【００１８】
本発明の実施形態にかかるガスコンロ１００は、図１に示すように、ケース本体（コンロ本体）１０１と、ケース本体１０１に配設された温度センサ付きの標準火力コンロバーナ３２ａ、温度センサ付きの高火力コンロバーナ３２ｂ、温度センサ付き小火力コンロバーナ３２ｃと、魚などを調理する際に用いられるグリル３３とを備えたビルトインタイプのグリル付きコンロである。
【００１９】
ケース本体１０１の前面の左側上部および右側上部には、それぞれ上記複数のコンロバーナ３２ａ、３２ｂ、３２ｃの点火、消火、火力調節の操作を行うための加熱状態調節部３５ａ、３５ｂ、３５ｃが設けられている。
【００２０】
詳しくは、ケース本体１０１の前面の左側上部には、標準火力コンロバーナ３２ａの点火、消火、火力調節の操作を行うための加熱状態調節部３５ａが配設されており、また、右側上部には、高火力コンロバーナ３２ｂの点火、消火、火力調節の操作を行うための加熱状態調節部３５ｂと、小火力コンロバーナ３２ｃの点火、消火、火力調節の操作を行うための加熱状態調節部３５ｃとが配設されている。
【００２１】
コンロバーナ３２ａ、３２ｂ、３２ｃそれぞれに対して、加熱調理器用の温度検出装置５０（５０ａ、５０ｂ、５０ｃ）（以下、単に温度検出装置と記載する場合がある）が設けられている。コンロバーナ３２ａ、３２ｂ、３２ｃにそれぞれ設けられる３台の温度検出装置５０は、それぞれ、同様に、五徳４０上に載置された被加熱物（例えば鍋などの調理容器）（図示せず）の温度を検出する被加熱物温度検出機能、および、五徳４０上に被加熱物が載置されているか否かを検知する被加熱物検知機能を備えている。
【００２２】
そして、小火力コンロバーナ３２ｃが備える温度検出装置５０（５０ｃ）については、排気口９１に接続されているグリル排気筒（図示せず）の上方に配置する必要がある関係上、上下方向における設置スペースが狭いので、本願発明にかかる温度検出装置が用いられている。
【００２３】
なお、標準火力コンロバーナ３２ａ、高火力コンロバーナ３２ｂの温度検出装置５０（５０ａ、５０ｂ）についても、本願発明にかかる温度検出装置を用いることが可能であることはいうまでもない。
【００２４】
以下、本願発明の実施形態にかかる加熱調理器用の温度検出装置の特徴的構成について、図２〜図７を参照しつつ説明する。
【００２５】
この実施形態にかかる加熱調理器用の温度検出装置５０（５０ｃ）は、以下に説明するように、
（ａ）略Ｌ字形状を有する筒状支持体５１と、
（ｂ）筒状支持体５１の垂直方向に延びる一方辺部５１ａの上端部に支持された昇降体５５と、
（ｃ）被加熱物（例えば鍋などの調理容器）の底部の温度を検出する検出部（温度検出部）６０と、検出部６０の検出情報を制御部（図示せず）に伝えるリード線６１とを備えた温度検出機構６２と、
（ｄ）水平方向に延びる他方辺部５１ｂの外周部に配設されたリードスイッチ６５と、他方辺部５１ｂを介して、リードスイッチ６５と対向するように他方辺部５１ｂの外周部に配設された磁石６６と、リードスイッチ６５を第１状態と第２状態とに切り換える操作部６７とを備えた被加熱物検知機構６８と、
（ｅ）一端が昇降体５５に接続され、他端が筒状支持体５１の他方辺部５１ｂ内に延びる態様で筒状支持体５１内に配設され、昇降体５５の昇降に伴って筒状支持体５１内を移動する伝達部材７５と、を備えている。
【００２６】
また、磁石６６からの磁界がリードスイッチ６５に印加されないように磁界を遮蔽する磁気遮蔽体８０が伝達部材７５の所定の位置に配設され、上述の操作部６７として機能するように構成されている。なお、本実施形態において、磁気遮蔽体８０は、筒状の磁気遮蔽体本体部８０ａと、磁気遮蔽体本体部８０ａから連接された、磁気遮蔽体本体部８０ａを伝達部材７５に固定するための磁気遮蔽体固定部８０ｂとを備えている。
【００２７】
そして、本実施形態にかかる温度検出装置５０において、磁気遮蔽体８０は筒状支持体５１の内部に位置するように構成されている。
【００２８】
本実施形態の温度検出装置５０が備える上述の筒状支持体５１は、図２〜図４に示すように、略Ｌ字形状を有する中空筒状の部材であり、上述のように略垂直方向に延びる一方辺部５１ａと、一方辺部５１ａから続いて略水平方向に延びる他方辺部５１ｂとを備えており、一方辺部５１ａと他方辺部５１ｂとの境界領域が屈曲部５１ｃとなるように構成されている。
【００２９】
また、略Ｌ字形状の筒状支持体５１の一方辺部５１ａは、図示しない固定手段によってグリル付きコンロ１００のケース本体１０１内に固定されている。ただし、他方辺部５１ｂが固定手段によってケース本体１０１内に固定されるように構成してもよい。
【００３０】
また、筒状支持体５１の一方辺部５１ａの上端部に支持された昇降体５５は、  加熱調理器（グリル付きコンロ）１００の載置部に載置される被加熱物（例えば鍋などの調理容器）（図示せず）の底部が当接し、被加熱物の上下動に伴って昇降するように構成されており、上方に向かって復帰付勢された状態で、筒状支持体５１の一方辺部５１ａの上端部に支持されている。
【００３１】
また、温度検出機構６２を構成する検出部６０は、被加熱物の底部に当接する集熱体６０ａとサーミスタ（図示せず）とを備えている。また、温度検出機構６２は、検出部６０の検出情報を制御部（図示せず）に伝えるリード線６１を備えており、リード線６１はサーミスタ（図示せず）に接続されている（図２（ａ）参照）。
【００３２】
また、リード線６１は、ガラス編組チューブ７５内に挿通され、ガラス編組チューブ７５によって保護されている（図２（ａ）、図２（ｂ）参照）。
【００３３】
そして、本実施形態では、ガラス編組チューブ７５が、上述のように、リード線６１を保護する保護部材として機能するだけでなく、昇降体５５の昇降（上下動）に伴って、筒状支持体５１内を移動して、昇降体の移動を伝達する伝達部材として機能するように構成されている。
【００３４】
ガラス編組チューブ（伝達部材）７５の一端は昇降体５５に接続されているとともに、他端が筒状支持体５１の他方辺部５１ｂに延びる態様で筒状支持体５１内に配設されており、ガラス編組チューブ（伝達部材）７５は、昇降体５５の昇降に伴ってＬ字形状を有する筒状支持体５１の内部、詳しくは、他方辺部５１ｂの内部を軸方向に沿って移動するように構成されている。
【００３５】
つまり、昇降体５５の昇降に伴って、ガラス編組チューブ７５が、筒状支持体５１の内部を、筒状支持体５１の軸方向に沿って移動することにより、被加熱物が五徳４０に載置され、または、五徳４０上から取り除かれることによって生じる昇降体５５の上下動が、被加熱物検知機構６８（の操作部６７）に伝達されるように構成されている。
【００３６】
なお、ガラス編組チューブ７５は、被加熱物が載置部（五徳４０）に載置され、あるいは、載置部（五徳４０）から取り除かれることによって昇降する昇降体５５の昇降動作に対応して略Ｌ字状の筒状支持体５１内を、その軸方向に沿って円滑に移動することが可能な可撓性（変形性）を備えているとともに、昇降体５５の昇降距離に対応した距離だけ筒状支持体５１内を移動することが可能な剛性を備えた構成とされており、リードスイッチ６５と操作部（磁気遮蔽体）８０との位置関係（筒状支持体５１の軸心に沿う方向における相対位置関係）を、的確に近接状態と離間状態とに変化させ、リードスイッチ６５を第１状態と第２状態とに確実に切り換えることができるように構成されている。
【００３７】
すなわち、ガラス編組チューブ７５は、適度な可撓性を備えており、筒状支持体５１内を、その軸方向に沿って円滑に移動して、昇降体５５の昇降を適切に被加熱物検知機構６８に伝えることができるので、伝達部材として、別途索状体（ピアノ線）等を必要とすることなく（特開２０１５−０９４５２１号公報参照）、昇降体５５の昇降に応じて、リードスイッチ６５と操作部（磁気遮蔽体）８０との位置関係を的確に近接状態と離間状態とに変化させ、リードスイッチ６５を第１状態と第２状態とに確実に切り換えることができる。
【００３８】
また、被加熱物検知機構６８は、上述のように、他方辺部５１ｂの外周部に配設されたリードスイッチ６５と、他方辺部５１ｂを介してリードスイッチ６５に対向するように他方辺部５１ｂの外周部に配設された磁石６６と、筒状支持体５１の内部に配設され、リードスイッチ６５を第１状態と第２状態とに切り換える操作部６７とを備え、かつ、伝達部材７５の所定の位置に配設された、磁石６６からリードスイッチ６５に印加される磁界を遮蔽する磁気遮蔽体８０が、上述の操作部６７として機能するように構成されている。
【００３９】
そして、リードスイッチ６５が、上述のようにしてＯＮ（第１状態）とＯＦＦ（第２状態）とに切り換えられることにより、被加熱物の載置の有無を検知することができるように構成されている。
【００４０】
また、サーミスタに接続されたリード線６１は、筒状支持体５１内に配置され、筒状支持体５１における他方辺部５１ｂから外に延びて、制御部（図示せず）に接続されており、検出部６０を構成する集熱体６０ａを介して、サーミスタにより検出される被加熱物（例えば鍋などの調理容器）の底部の温度情報が、筒状支持体５１の外部の制御部（図示せず）に伝達されるように構成されている。
【００４１】
なお、本実施形態では、上述のように、適度な可撓性を有するガラス編組チューブが伝達部材７５として機能するように構成されており、サーミスタに接続されたリード線６１と比べてガラス編組チューブ（伝達部材）７５は撓みにくいため、昇降体５５の昇降に精度よく対応してガラス編組チューブ７５およびガラス編組チューブ７５に配設（固定）された磁気遮蔽体８０が適切に他方辺部５１ｂ内を移動する。その結果、リードスイッチ６５の第１状態と第２状態とが確実に切り換えられ、五徳４０上への被加熱物の載置および非載置が適切に検出される。
【００４２】
また、本実施形態では、上述のように、磁気遮蔽体８０が、ガラス編組チューブ（伝達部材）７５の、筒状支持体５１の他方辺部５１ｂ内に位置する部分に設けられ、昇降体５５の上下動に対応して、他方辺部５１ｂ内の、リードスイッチ６５と磁石６６とに挟まれた領域に近接し、あるいは、リードスイッチ６５と磁石６６とに挟まれた領域から離間することにより、リードスイッチ６５を第１状態と第２状態とに切り換える本発明における操作部として機能するように構成されている（図４（ａ）、図４（ｂ））。
【００４３】
次に、被加熱物検知機構６８の動作について説明を加える。図４（ａ）に示すように、五徳４０上に被加熱物（例えば鍋などの調理容器）が載置されていない状態では、ガラス編組チューブ（伝達部材）７５に配設された操作部である磁気遮蔽体８０が、リードスイッチ６５と磁石６６との間に位置することによって、磁石６６からリードスイッチ６５に印加される磁界を遮蔽するため、リードスイッチ６５がＯＦＦした第２状態となる。
【００４４】
これに対し、五徳４０上に被加熱物が載置された状態では、図４（ｂ）に示すように、磁気遮蔽体８０が、他方辺部５１ｂの端部側（右側）に移動する。そして、磁気遮蔽体８０が、リードスイッチ６５と磁石６６との間に位置しなくなると、磁石６６からリードスイッチ６５に印加される磁界が磁気遮蔽体８０によって遮蔽されなくなるため、磁石６６の磁界がリードスイッチ６５に印加されて、リードスイッチ６５がＯＮした第１状態となる。
【００４５】
本実施形態にかかる加熱調理器用の温度検出装置５０においては、図２、図３、図４、図５、図６などに示すように、内側を伝達部材７５が通過する筒状部１１を有し、該筒状部１１の外周部の所定の位置にリードスイッチ６５と磁石６６とが一体に保持されるように構成された保持部１０が、筒状支持体５１を構成する他方辺部５１ｂの所定の位置に配設されている。そして、保持部１０は、保持部１０を構成する筒状部１１が他方辺部５１ｂの外周側に嵌め込まれ、他方辺部５１ｂの軸心方向回りに回動することがないように構成されている。
【００４６】
以下、さらに詳しく説明する。本実施形態にかかる加熱調理器用の温度検出装置５０においては、図２、図５、図６、図７に示すように、保持部１０が、その筒状部１１の内周面１２と、筒状支持体５１の他方辺部５１ｂの外周面５２とが当接する態様で他方辺部５１ｂに接続されている。
【００４７】
そして、筒状部１１の内周面１２が当接する他方辺部５１ｂの外周面５２の、周方向における所定の領域には、他方辺部５１ｂの直径方向の中心側に引退した引退平坦部２１が配設されているとともに、他方辺部５１ｂの外周面５２が当接する筒状部１１の内周面１２の、周方向における所定の領域（すなわち、他方辺部５１ｂの外周面５２の引退平坦部２１が配設されている領域に対応する領域）には、筒状部１１の直径方向の中心側に隆起した隆起平坦部２２が配設されている。
【００４８】
かかる構成を備えていることで、保持部１０を構成する筒状部１１が、他方辺部５１ｂの外周側に嵌め込まれ、他方辺部５１ｂの引退平坦部２１と、筒状部１１の隆起平坦部２２とが当接（係合）することにより、保持部１０および保持部１０に一体に保持されたリードスイッチ６５と磁石６６が、他方辺部５１ｂの軸心方向回りに回動することが確実に抑制、防止されることになる（図７参照）。
【００４９】
また、本実施形態にかかる加熱調理器用の温度検出装置５０においては、保持部１０が、リードスイッチ６５を収容するリードスイッチ容器６５ａを一体に備えている（図５、図６）。
【００５０】
なお、リードスイッチ容器６５ａは、例えば、樹脂の射出成型などの方法により、保持部１０を構成する筒状部１１と一体に形成されていてもよく、またリードスイッチ容器６５ａと筒状部１１とを接着することにより、一体に形成されていてもよい。また、場合によっては、バンドなどの固定部材によって筒状部１１に固定されていてもよい。
【００５１】
そして、リードスイッチ容器６５ａには、筒状支持体５１における他方辺部５１ｂの外周部に沿う形態の取り付け面６９が形成されている。
なお、本実施形態では、リードスイッチ容器６５ａの取り付け面６９は、円筒状の他方辺部５１ｂの外周部の形状に沿う凹状曲面とされている。
【００５２】
また、保持部１０は、固定バンド１０ａを備えており、磁石６６が、固定バンド１０ａにより保持部１０を構成する筒状部１１に一体に保持されるように構成されている。
【００５３】
本実施形態にかかる加熱調理器用の温度検出装置５０が備える被加熱物検知機構６８は上述のように構成されているので、保持部１０およびリードスイッチ６５と磁石６６が、筒状支持体５１を構成する他方辺部５１ｂの軸心周りに回動することが確実に抑制、防止される。その結果、五徳４０上への調理容器の載置および非載置を精度よく検出することが可能な、加熱調理器用の温度検出装置を実現することができる。
【００５４】
また、保持部１０が、リードスイッチ６５を収容するリードスイッチ容器６５ａを一体に備えているとともに、リードスイッチ容器６５ａには、筒状支持体５１における他方辺部５１ｂの外周部に沿う形態の取り付け面６９が形成されているため、保持部１０および保持部１０に一体に保持されたリードスイッチ６５と磁石６６の、内側を操作部である磁気遮蔽体８０が移動する他方辺部５１ｂに対する位置関係が安定するため、五徳４０上への調理容器の載置および非載置の検出を一層適正に行うことが可能な、加熱調理器用の温度検出装置を提供することができる。
【００５５】
本発明は、さらにその他の点においても上記実施形態に限定されるものではなく、本発明の範囲内において種々の変形を加えることが可能である。
【符号の説明】
【００５６】
１０        保持部
１０ａ      固定バンド
１１        保持部を構成する筒状部
１２        筒状部の内周面
２１        引退平坦部
２２        隆起平坦部
３２ａ      標準火力コンロバーナ
３２ｂ      高火力コンロバーナ
３２ｃ      小火力コンロバーナ
３３        グリル
３５ａ      標準火力コンロバーナの加熱状態調節部
３５ｂ      高火力コンロバーナの加熱状態調節部
３５ｃ      小火力コンロバーナの加熱状態調節部
４０        五徳
５０（５０ａ、５０ｂ、５０ｃ）  加熱調理器用の温度検出装置
５１        筒状支持体
５１ａ      筒状支持体の一方辺部
５１ｂ      筒状支持体の他方辺部
５１ｃ      筒状支持体の屈曲部
５２        他方辺部の外周面
５５        昇降体
５５ａ      昇降体本体
６０        検出部（温度検出部）
６０ａ      集熱体
６１        リード線
６２        温度検出機構
６５        リードスイッチ
６５ａ      リードスイッチ容器
６６        磁石
６７        操作部
６８        被加熱物検知機構
６９        取り付け面
７５        伝達部材（ガラス編組チューブ）
８０        磁気遮蔽体
８０ａ      磁気遮蔽体本体部
８０ｂ      磁気遮蔽体固定部
９１        排気口
１００      グリル付きコンロ（加熱調理器）
１０１      ケース本体（コンロ本体）
【図１】
2020003107.tif 000003
【図２】
2020003107.tif 000004
【図３】
2020003107.tif 000005
【図４】
2020003107.tif 000006
【図５】
2020003107.tif 000007
【図６】
2020003107.tif 000008
【図７】
2020003107.tif 000009